(57)【要約】【課題】  植付け条数の少ない小型機種においても、前方視界を悪化することなく、運転座席回りの操作レバーの取扱いを容易に行うことができる乗用型田植機を提供する。【解決手段】  運転座席９を備えた走行機体３の後部に苗植付け装置６を連結した乗用型田植機において、走行機体３の左右箇所にサイド予備苗収容部３１を設けるとともに、運転座席９後方の左右中央箇所に中央予備苗収容部３２を設け、サイド予備苗収容部３１を、予備苗Ｆを載置支持する苗収容姿勢と、上方に起立揺動した格納姿勢とに切換え可能な予備苗のせ台３４を備えて構成するとともに、中央予備苗収容部３２を、予備苗Ｆを立ち姿勢で収容するよう構成してある。【選択図】        図１
2005312355.tif 000002
【特許請求の範囲】
【請求項１】
運転座席を備えた走行機体の後部に苗植付け装置を連結した乗用型田植機において、
前記走行機体の左右箇所にサイド予備苗収容部を設けるとともに、前記運転座席後方の左右中央箇所に中央予備苗収容部を設けてあることを特徴とする乗用型田植機。
【請求項２】
前記中央予備苗収容部を、予備苗を立ち姿勢で収容するよう構成してあることを特徴とする請求項１記載の乗用型田植機。
【請求項３】
前記サイド予備苗収容部を前記運転座席の左右両脇に配備してあることを特徴とする請求項１または２記載の乗用型田植機。
【請求項４】
前記サイド予備苗収容部を、予備苗を載置支持する苗収容姿勢と、上方に起立揺動した格納姿勢とに切換え可能な予備苗のせ台を備えて構成してあることを特徴とする請求項１〜３のいずれか一項に記載の乗用型田植機。
【請求項５】
前記中央予備苗収容部を、予備苗を横長の立ち姿勢で収容する予備苗支持枠を備えて構成するとともに、予備苗支持枠の左右両端部で前記予備苗のせ台を前記格納姿勢に係止保持可能に構成してあることを特徴とする請求項４記載の乗用型田植機。
【請求項６】
前記苗植付け装置を奇数条植え仕様に構成してあることを特徴とする請求項１〜５のいずれか一項に記載の乗用型田植機。
【発明の詳細な説明】
【技術分野】
【０００１】
本発明は、運転座席を備えた走行機体の後部に苗植付け装置を連結するとともに、走行機体に予備苗を収容できるよう構成した比較的小型の乗用型田植機に関する。
【背景技術】
【０００２】
乗用型田植機の予備苗収容手段としては、例えば、特許文献１に示されているように、予備苗を載置する予備苗のせ台を走行機体の前部左右に配備したものや、特許文献２に示されているように、運転座席と苗植付け装置との間に位置させて複数枚の予備苗を左右に並列載置する横長の予備苗のせ台を走行機体の後部に配備する配備したものも知られている。
【特許文献１】特開平７−２５０５１７号公報
【特許文献２】特開平７−２１３１２０号公報
【発明の開示】
【発明が解決しようとする課題】
【０００３】
走行機体の前部左右に予備苗のせ台を配備する前者の予備苗収容手段は、走行機体に任意に付設することができるとともに、畦からの苗補充が容易に行うことができるものであり、小型機から大型機までの広い範囲で最も多く利用される形態であるが、所望の枚数を収容するには左右に複数段の予備苗のせ台を配備することになり、上下に嵩高いものになって前方左右を見通す際の邪魔になるものであった。
【０００４】
また、横長の予備苗のせ台を運転座席と苗植付け装置との間に配備する後者の手段は、予備苗のせ台から苗植付け装置の苗のせ台への苗移し替えを容易に行える特徴を有するものであるが、予備苗のせ台が運転座席の後方近傍において左右両側に大きく張り出して配備されるので、運転座席の横側に前後操作可能に配備された各種の操作レバーを操作する際、特に操作レバーを後方に操作する際に肘が予備苗のせ台に接近することになり、座席回りの空間余裕の少ない機種では操作レバーが取扱いにくいものになりやすく、小型機においては運転座席の後方に横長の大きい予備苗のせ台を配備する予備苗収容手段は導入し難いものであった。
【０００５】
本発明は、このような点に着目してなされたものであって、植付け条数の少ない小型機種においても、前方視界を悪化することなく、しかも、運転座席回りの操作レバーの取扱いを容易に行うことができる乗用型田植機を提供することを主たる目的としている。
【課題を解決するための手段】
【０００６】
第１の発明は、運転座席を備えた走行機体の後部に苗植付け装置を連結した乗用型田植機において、
前記走行機体の左右箇所にサイド予備苗収容部を設けるとともに、前記運転座席後方の左右中央箇所に中央予備苗収容部を設けてあることを特徴とする。
【０００７】
上記構成によると、三箇所の予備苗収容部に分散して予備苗を収容するので、サイド予備苗収容部への各収容量を、機体前部の左右二箇所に分散収容する場合に比べて少なくすることができ、機体左右の予備苗収容部は嵩低いものとなる。
【０００８】
また、中央予備苗収容部は運転座席の後方に位置していて運転座席の左右後方は空間が確保されているので、運転座席の横側に配備された各種操作レバーを後方に操作しても中央予備苗収容部が邪魔になることはない。
【０００９】
従って、第１の発明によると、植付け条数の少ない小型機種においても、前方視界を悪化することなく、しかも、運転座席回りの操作レバーの取扱いを容易に行うことができる。
【００１０】
第２の発明は、上記第１の発明において、
前記中央予備苗収容部を、予備苗を立ち姿勢で収容するよう構成してあることを特徴とする。
【００１１】
上記構成によると、中央予備苗収容部の前後幅を小さくすることがでるので、苗植付け装置を走行機体に接近して配置でき、田植機全体の前後方向寸法を小さくすることができ、上記第１の発明の上記効果をもたらすとともに、特に機体全長の短小化が望まれる小型機に有効に活用できる。
【００１２】
第３の発明は、上記第１または２の発明において、
前記サイド予備苗収容部を前記運転座席の左右両脇に配備してあることを特徴とする。
【００１３】
上記構成によると、運転座席が前方視界の邪魔になることがなく、機体前部の左右に位置する前輪を容易に見通すことができ、一層運転しやすいものとなる。
【００１４】
第４の発明は、上記第１〜３のいずれか一つの発明において、
前記サイド予備苗収容部を、予備苗を載置支持する苗収容姿勢と、上方に起立揺動した格納姿勢とに切換え可能な予備苗のせ台を備えて構成してあることを特徴とする。
【００１５】
上記構成によると、非使用時の予備苗のせ台を格納姿勢に折り込むことで、機体幅を小さくすることができ、第１〜３のいずれか一つの発明の上記効果をもたらすとともに、移動走行時、トラックなどの運搬車両の荷台などへの積込み時、および、ガレージへの格納時、などにおいて予備苗のせ台を他物にぶつけて損傷することを未然に回避することができる。
【００１６】
第５の発明は、第４の発明において、
前記中央予備苗収容部を、予備苗を横長の立ち姿勢で収容する予備苗支持枠を備えて構成するとともに、予備苗支持枠の左右両端部で前記予備苗のせ台を前記格納姿勢に係止保持可能に構成してあることを特徴とする。
【００１７】
上記構成によると、横長の立ち姿勢で収容する予備苗支持枠が横長に構成されることを有効に利用して予備苗のせ台を格納姿勢に係止保持するので、予備苗のせ台係止用の専用の部材が不要となり、部品の節減およびコスト低減に有効となる。
【００１８】
第６の発明に係る発明は、上記第１〜５のいずれか一つの発明において、
前記苗植付け装置を奇数条植え仕様に構成してあることを特徴とする。
【００１９】
上記構成によると、例えば３条植え仕様の場合、左右のサイド予備苗収容部と座席後方の中央予備苗収容部のそれぞれ１枚づつ予備苗を収容しておくことで、３条分を１回補給する予備苗を収容することができ、また、５条植え仕様の場合、左右のサイド予備苗収容部にそれぞれ２枚、座席後方の中央予備苗収容部のそれぞれ１枚の予備苗を収容しておくことで、５条分を１回補給する予備苗を重量バランスよく収容することができる。
【発明を実施するための最良の形態】
【００２０】
図１に、本発明に係る乗用型田植機の全体側面が、また、図２に、その全体平面がそれぞれ示されている。この乗用型田植機は、操向自在な前輪１と操向不能な後輪２を備えた四輪駆動型の走行機体３の後部に、油圧シリンダ４で上下に揺動駆動されるリンク機構５を介して苗植付け装置６が昇降可能に連結され、また、走行機体３の後部にエンジン７が配備されるとともに、エンジン７および走行機体３の上部を覆うステップ８が脱着自在に設けられ、このステップ８における後部上面の左右中央部位に運転座席９が設けられるとともに、走行機体３の前端部に立設されたフロントカバー１０の上部に操縦ハンドル１１が配備された構造となっている。
【００２１】
前記苗植付け装置６は３条植え仕様に構成されており、３条分のマット状苗を並列載置して一定ストロークで往復横移動する苗のせ台１２、この苗のせ台１２の下端から１株分づつ苗を切り出して田面に植付けてゆく３組のクランク式の植付け機構１３、田面の植付け箇所を均平整地する整地フロート１４、等を備えて構成されており、後支ｐ周りに上下揺動自在な前記整地フロート１４の上下変位に基づいて前記油圧シリンダ４が伸縮制御されて、走行機体３の浮沈にかかわらず苗植付け装置６を田面に対して設定された高さに安定維持し、もって、植付け深さを一定に安定維持する植付け深さ自動制御が行われるようになっている。
【００２２】
前記走行機体３は、パイプ材からなる主フレーム２０の後端に、後輪２を軸支したミッションケース２１が連結されるとともに、主フレーム２０の前端に、前輪１を装備した前車軸ケース２２が連結された構造となっており、主フレーム２０は、ミッションケース２１からの動力を前車軸ケース２２に伝達する前輪駆動軸２３が挿通される伝動ケースとしての機能を備えている。
【００２３】
前記エンジン７には、左側面に出力軸７ａが突出された空冷式のガソリンエンジンが使用されており、後傾した低姿勢でフレーム２０とミッションケース２１の上部とに亘って防振搭載さるとともに、前記出力軸７ａとミッションケース２１の左側面に突設された入力軸２１ａとが伝動ベルト２４で連動連結されている。そして、ミッションケース２１に入力されたエンジン動力は走行系と作業系に分岐され、走行系動力は複数段にギヤ変速された後、図示されない左右のサイドクラッチを介して左右の後輪２に伝達されるとともに、走行系変速動力の一部が前方に取出されて前記前輪駆動軸２３を介して前車軸ケース２２に伝達されるようになっている。また、ミッションケース内で分岐された作業系動力はミッションケース２１の上部から後方に取出され、伸縮伝動軸２５を介して苗植付け装置６に伝達されるようになっている。
【００２４】
前記ステップ８の後部は上方に隆起されており、この隆起部８ａの左右中央部位に前記運転座席９が配備されている。そして、隆起部８ａの右側に、苗植付け装置６の昇降と苗植付け装置６への動力断続を行う植付けレバー２６、および、前記植付け深さ自動制御の感度を調節する感度調節レバー２７がそれぞれ前後に揺動操作可能に突設されるとともに、運転座席９の後方に燃料タンク２９が配備されている。
【００２５】
また、ステップ８における隆起部８ａの左右端にサイド予備苗収容部３１がそれぞれ設けられるとともに、ステップ８における隆起部８ａの後部中央部位に、運転座席９の後方に位置する中央予備苗収容部３２が設けられている。
【００２６】
図４に示すように、前記サイド予備苗収容部３１には、ヒンジ３３を介して前後方向軸心ａ周りに起伏揺動自在に支持された予備苗のせ台３４が備えられており、この予備苗のせ台３４は、図４中の実線で示すように、予備苗をやや外上がり傾斜した姿勢で載置支持する苗収容姿勢と、図４中の仮想線で示すように、略鉛直に起立した格納姿勢とに切換え可能となっている。
【００２７】
図４，５に示すように、前記中央予備苗収容部３２には予備苗支持枠３５が備えられており、床土部にすくい板が添えられた横長姿勢の予備苗Ｆが、予備苗支持枠３５の下部に形成した左右一対のフック部３５ａに前後移動不能に受止め係止されるとともに、左右一対の支柱部３５ｂおよび左右に延出された横杆部３５ｃにもたれかけられることで、後傾した立ち姿勢で受止め収容されるようになっている。
【００２８】
また、前記予備苗支持枠３５における横杆３５ｃが左右に延出されるとともにその先端部が屈曲され、この屈曲端部３５ｄに、起立揺動させた前記予備苗のせ台３４の後部を係止することで、予備苗のせ台３４を前記格納姿勢に起立保持しておくことができるようになっている。
【００２９】
〔別実施例〕
【００３０】
（１）上記実施例では、３条植え仕様の場合を例示したが、５条植え仕様の機種に適用することもできる。この場合、各サイド予備苗収容部３１に２段の予備苗のせ台を配備することで、左右のサイド予備苗収容部３１に２枚づつ、また、後方の中央予備苗収容部３２に１枚の予備苗をそれぞれ収容することで、都合５枚（５条分）の予備苗を収容することができる。
【００３１】
（２）中央予備苗収容部３２を、予備苗を縦長の立ち姿勢で収容する形態とすることもできる。
【図面の簡単な説明】
【００３２】
【図１】乗用型田植機の全体側面図
【図２】乗用型田植機の全体平面図
【図３】走行機体後部の側面図
【図４】中央予備苗収容部の正面図
【図５】中央予備苗収容部の分解斜視図
【符号の説明】
【００３３】
３                  走行機体
６                  苗植付け装置
９                  運転座席
３１                サイド予備苗収容部
３２                中央予備苗収容部
３４                予備苗のせ台
３５                予備苗支持枠
Ｆ                  予備苗
【図１】
2005312355.tif 000003
【図２】
2005312355.tif 000004
【図３】
2005312355.tif 000005
【図４】
2005312355.tif 000006
【図５】
2005312355.tif 000007